(57)【要約】      （修正有）【課題】ユーザの作業を妨げることなく、効果的な広告を配信することができる広告配信システム及び広告配信方法を提供する。【解決手段】音声広告を含む広告をネットワークを介して接続される電子機器へ配信可能な管理サーバは、電子機器の機器情報と、ユーザのユーザ属性情報とが対応づけられた電子機器の使用履歴を記憶する使用履歴記憶手段と、配信する広告の顧客情報を記憶する顧客情報記憶手段と、使用履歴記憶手段によって記憶される使用履歴に、顧客情報記憶手段によって記憶される顧客情報に合致するユーザが存在する電子機器を検索する電子機器検索手段と、電子機器検索手段によって検出された電子機器へ広告を配信する広告配信手段とを有し、電子機器は、管理サーバから配信された広告を記憶する広告記憶手段と、広告記憶手段によって記憶された広告を出力する。【選択図】図１
2015153233.tif 000002
【特許請求の範囲】
【請求項１】
音声広告を含む広告をネットワークを介して接続される電子機器へ配信可能な管理サーバと、前記管理サーバより配信された前記広告を受信可能な前記電子機器を備える広告配信システムであって、
前記管理サーバは、
前記電子機器の機器情報と、ユーザのユーザ属性情報とが対応づけられた前記電子機器の使用履歴を記憶する使用履歴記憶手段と、
配信する前記広告の顧客情報を記憶する顧客情報記憶手段と、
使用履歴記憶手段によって記憶される前記使用履歴に、前記顧客情報記憶手段によって記憶される前記顧客情報に合致するユーザが存在する電子機器を検索する電子機器検索手段と、
前記電子機器検索手段によって検出された前記電子機器へ前記広告を配信する広告配信手段と
を有し、
前記電子機器は、
前記管理サーバから配信された前記広告を記憶する広告記憶手段と、
前記広告記憶手段によって記憶された前記広告を出力する広告出力手段と
を有する
ことを特徴とした広告配信システム。
【請求項２】
請求項１に記載の広告配信システムにおいて、
前記顧客情報は、前記広告を配信する地域及び環境に関する情報を含み、
前記機器情報は、前記電子機器が設置されている地域及び設置環境に関する情報を含み、
前記電子機器検索手段は、前記顧客情報の地域及び環境と一致する地域及び環境を含む前記機器情報を有する前記電子機器の前記使用履歴を用いて、前記顧客情報に合致するユーザが存在する前記使用履歴を有する前記電子機器を検索する
ことを特徴とした広告配信システム。
【請求項３】
請求項１に記載の広告配信システムにおいて、
前記管理サーバは音楽を配信する音楽配信手段を有し、
前記電子機器は、前記管理サーバから前記音楽を受信し、再生する音楽再生手段を有し、
前記広告出力手段は、前記音楽再生手段による前記音楽の再生を所定の周期で停止させ、前記管理サーバから取得した前記音声広告を再生する
ことを特徴とした広告配信システム。
【請求項４】
請求項３に記載の広告配信システムにおいて、
前記管理サーバは、
前記音声広告の再生に関する音声広告再生情報を記憶する音声広告再生情報記憶手段と、
前記電子機器から前記音声広告を再生すべきか否かの問い合わせを受けた場合、前記音声広告再生情報記憶手段によって記憶される前記音声広告再生情報にしたがって前記音声広告を再生すべきか否かを判定する判定手段と、
前記判定手段によって再生すべきであると判定された場合、前記電子機器に対して該当する音声広告を再生すべきであることを通知する通知手段と
を有し、
前記電子機器は、前記音声広告が再生すべきか否かを問い合わせる問い合わせ手段を有し、
前記広告出力手段は、前記問い合わせ手段の応答結果が再生すべきである場合、前記音声広告を再生する
ことを特徴とした広告配信システム。
【請求項５】
請求項４に記載の広告配信システムにおいて、
前記音声広告再生情報は、音声広告を聴取させることのできるユーザ数に関する情報を含み、
前記判定手段は、前記音声広告再生情報に含まれる音声広告を聴取させることのできるユーザ数の情報にしたがって、前記音声広告を再生すべきか否かを判定する
ことを特徴とした広告配信システム。
【請求項６】
請求項３に記載の広告配信システムにおいて、
前記広告出力手段は、前記音声広告を再生する前に無音の時間を設定する
ことを特徴とした広告配信システム。
【請求項７】
請求項１に記載の広告配信システムにおいて、
前記広告は、バナー広告を含み、
前記広告配信手段は、前記音声広告と関連する前記バナー広告を配信し、
前記電子機器は、前記電子機器に接続している情報処理装置へ前記バナー広告を送信する送信手段を有し、
前記広告出力手段は、前記バナー広告を表示させる
ことを特徴とした広告配信システム。
【請求項８】
管理サーバからネットワークを介して接続される電子機器へ音声広告を含む広告を配信する広告配信方法であって、
前記電子機器の機器情報と、ユーザのユーザ属性情報とが対応づけられた前記電子機器の使用履歴を記憶する使用履歴記憶手順と、
配信する前記広告の顧客情報を記憶する顧客情報記憶手順と、
使用履歴記憶手順によって記憶される前記使用履歴に、前記顧客情報記憶手順によって記憶される前記顧客情報に合致するユーザが存在する電子機器を検索する電子機器検索手順と、
前記電子機器検索手順によって検出された前記電子機器へ前記広告を配信する広告配信手順と
を有することを特徴とした広告配信方法。
【発明の詳細な説明】
【技術分野】
【０００１】
本発明は、広告配信における制御技術に関する。
【背景技術】
【０００２】
昨今、広告のデジタル化が進み、デジタル化した広告を配信し、配信先の装置で表示させることができる。
【０００３】
例えば、音声広告を作成し、ユーザへ提供する技術が既に知られている（例えば特許文献１〜３等を参照）。
【０００４】
また、ユーザの嗜好に合致した広告データを印刷データにマージする技術が既に知られている（例えば特許文献４〜５等を参照）。
【発明の概要】
【発明が解決しようとする課題】
【０００５】
デジタル化された広告の画像データを職場で利用しているＭＦＰ（Multifunction Peripheral）などの画像作成装置に表示させた場合、ユーザが表示されている広告を閲覧することでユーザの作業を中断させ、ユーザの作業の効率を妨げることになるという問題があった。
【０００６】
特許文献１〜３に記載の音声広告を配信する技術は、ユーザが広告を閲覧する必要がないことからユーザの作業を中断させることなく広告を配信することができる。
【０００７】
しかしながら、音声広告は、広告に興味のあるユーザにとって有益であるが、興味のないユーザにとって耳障りとなり、効果的な広告であるとはいえないという問題があった。
【０００８】
本発明は、上記の従来の問題点に鑑み提案されたものであり、その目的とするところは、ユーザの作業を妨げることのなく、効果的な広告を配信することができる広告配信システム及び広告配信方法を提供することにある。
【課題を解決するための手段】
【０００９】
上記の課題を解決するため、本発明にあっては、音声広告を含む広告をネットワークを介して接続される電子機器へ配信可能な管理サーバと、前記管理サーバより配信された前記広告を受信可能な前記電子機器を備える広告配信システムであって、前記管理サーバは、前記電子機器の機器情報と、ユーザのユーザ属性情報とが対応づけられた前記電子機器の使用履歴を記憶する使用履歴記憶手段と、配信する前記広告の顧客情報を記憶する顧客情報記憶手段と、使用履歴記憶手段によって記憶される前記使用履歴に、前記顧客情報記憶手段によって記憶される前記顧客情報に合致するユーザが存在する電子機器を検索する電子機器検索手段と、前記電子機器検索手段によって検出された前記電子機器へ前記広告を配信する広告配信手段とを有し、前記電子機器は、前記管理サーバから配信された前記広告を記憶する広告記憶手段と、前記広告記憶手段によって記憶された前記広告を出力する広告出力手段を有する。
【発明の効果】
【００１０】
本発明にあっては、広告を配信するユーザの作業を妨げることなく、効果的な広告をユーザに提供することができる。
【図面の簡単な説明】
【００１１】
【図１】本発明の一実施形態における音声広告配信システムのシステム構成の一例を示す図である。
【図２】本発明の一実施形態におけるＭＦＰのハードウエア構成の一例を示す図である。
【図３】本発明の一実施形態における会員情報管理サーバのハードウエア構成の一例を示す図である。
【図４】本発明の一実施形態における音声広告配信システムの機能構成の一例を示す図である。
【図５】本発明の一実施形態における配信音楽選択画面の一例を示す図である。
【図６】本発明の一実施形態におけるＭＦＰ情報登録画面の一例を示す図である。
【図７】本発明の一実施形態におけるプリンタドライバのインストール画面及び会員情報登録画面の一例を示す図である。
【図８】本発明の一実施形態における情報処理が表示するバナー画像一覧及び広告画像の一例を示す図である。
【図９】本発明の一実施形態における会員情報管理サーバに記憶される会員情報の一例を示す図である。
【図１０】本発明の一実施形態におけるＭＦＰ情報記憶手段に記憶されるＭＦＰ情報の一例を示す図である。
【図１１】本発明の一実施形態における履歴管理サーバに記憶される履歴情報の一例を示す図である。
【図１２】本発明の一実施形態における事業者登録画面の一例を示す図である。
【図１３】本発明の一実施形態における広告登録画面の一例を示す図である。
【図１４】本発明の一実施形態における広告管理サーバの広告記憶手段に記憶される広告情報の一例を示す図である。
【図１５】本発明の一実施形態におけるユーザによるＭＦＰ利用から履歴管理サーバにてＭＦＰの利用履歴を保存するまでの流れを示すシーケンス図である。
【図１６】本発明の一実施形態における事業者による広告投稿からＭＦＰにて音声広告を再生するまでの流れを示すシーケンス図である。
【図１７】本発明の一実施形態におけるＭＦＰによる音声広告及び音楽の再生の処理手順を示すフローチャートである。
【図１８】本発明の一実施形態におけるＭＦＰが再生する音声広告が再生可能か否かの判断処理を示すフローチャートである。
【図１９】本発明の一実施形態における情報処理装置でのバナー画像取得から広告画像印刷までの流れを示すシーケンス図である。
【発明を実施するための形態】
【００１２】
以下、本発明の好適な実施の形態について図面を用いて詳細に説明する。
【００１３】
＜システム構成＞
図１は、本発明の実施形態における音声広告配信システムのシステム構成の一例を示す図である。図１に示されるように、音声広告配信システムは、ＭＦＰ１ａ、１ｂ、・・・１ｎ（それぞれを区別しない場合「ＭＦＰ１」という。）と、情報処理装置２と、広告配信管理サーバ群に含まれる会員情報管理サーバ３、ＭＦＰ管理サーバ４、履歴管理サーバ５、事業者情報管理サーバ６、広告管理サーバ７、音楽配信サーバ８と、事業者管理サーバ９とを有する。
【００１４】
ＭＦＰ１と情報処理装置２とは、ＬＡＮ（Local Area Network）等のネットワークＮ１を介して接続されている。ＭＦＰ１と情報処理装置２とは、音声広告配信システムによって広告の提供を受けるユーザ（会員）により使用される。
【００１５】
広告配信管理サーバ群に含まれる会員情報管理サーバ３、ＭＦＰ管理サーバ４、履歴管理サーバ５、事業者情報管理サーバ６、広告管理サーバ７、音楽配信サーバ８は、それぞれＬＡＮ等のネットワークＮ２に接続されている。
【００１６】
事業者管理サーバ９は、それぞれＬＡＮ等のネットワークＮ３に接続されている。事業者管理サーバ９は、音声広告配信システムにより広告の配信を行う広告配信元の事業者により使用される。
【００１７】
ネットワークＮ１と、ネットワークＮ２と、ネットワークＮ３とは、インターネット等のネットワークＮ４を介して相互に通信可能である。
【００１８】
ＭＦＰ１は、電子機器の一例であって、印刷、スキャン、コピー及びファクシミリ等の機能のうち、少なくとも印刷機能を含む一以上の機能を一台の筐体によって実現する画像処理装置である。また、本発明の一実施形態におけるＭＦＰ１は、音声広告及びバナー画像に関するデータが記憶されている。
【００１９】
情報処理装置２は、例えばユーザに使用されるＰＣ（Personal Computer）やタブレット、スマートフォン等の情報処理端末である。情報処理装置２には、ＭＦＰ１を用いて印刷を行うためのプリンタドライバがインストールされる。
【００２０】
次に広告配信管理サーバ群に含まれる各サーバ装置について説明する。
【００２１】
会員情報管理サーバ３は、ユーザ識別情報（会員ＩＤ）及びパスワード等のユーザ情報並びにユーザの属性情報を記憶する情報処理装置である。なお、会員情報管理サーバ３は、ＮＡＳ（Network Attached Storage）等のネットワークに接続されたストレージ（ファイルサーバ）であってもよい。
【００２２】
ＭＦＰ管理サーバ４は、ＭＦＰ１の設置場所等に関する情報を記憶する情報処理装置である。ＭＦＰ管理サーバ４は、ＮＡＳ等により構築されてもよい。
【００２３】
履歴管理サーバ５は、ＭＦＰ１を使用したユーザの使用履歴に関する利用履歴を記憶する情報処理装置である。ＭＦＰ管理サーバ４は、ＮＡＳ等により構築されてもよい。
【００２４】
事業者情報管理サーバ６は、広告を提供する事業者及び事業者に対する課金情報を管理する情報処理装置である。事業者情報管理サーバ６は、ＮＡＳ等により構築されてもよい。
【００２５】
広告管理サーバ７は、ユーザに提供する広告に関する情報（広告情報）を記憶する情報処理装置である。広告管理サーバ７は、ＮＡＳ等により構築されてもよい。
【００２６】
音楽配信サーバ８は、ユーザに提供する音楽を記憶する情報処理装置である。音楽配信サーバ８は、ＮＡＳ等により構築されてもよい。
【００２７】
なお、広告配信管理サーバ群に含まれる、会員情報管理サーバ３、ＭＦＰ管理サーバ４、履歴管理サーバ５、事業者情報管理サーバ６、広告管理サーバ７、及び音楽配信サーバ８は、それぞれの装置が備える機能を一台の装置に集約させるような構成としてもよいし、一以上の装置に各機能を分散させるような構成としてもよい。
【００２８】
次に広告の提供元である事業者が使用する装置を説明する。
【００２９】
事業者管理サーバ９は、事業者が管理する情報処理装置である。事業者管理サーバ９には、広告に関する画面データが記憶されており、情報処理装置２のＷｅｂブラウザからの要求に基づき画面データを提供する。
【００３０】
＜ハードウエア構成＞
≪ＭＦＰ≫
図２は、本発明の実施形態におけるＭＦＰ１のハードウエア構成の一例を示す図である。
【００３１】
ＭＦＰ１は、コントローラ１００と、操作パネル１１０と、記憶メディアＩ／Ｆ(Interface)１２０と、データ通信Ｉ／Ｆ１３０と、ＨＤＤ（Hard Disk Drive）１４０と、ＵＳＢ  Ｉ／Ｆ１５０と、スキャナ１６０と、プロッタ１７０とを有し、それぞれＰＣＩ（Peripheral Component Interconnect）バス１８０で相互に接続されている。
【００３２】
コントローラ１００は、ＲＯＭ（Read Only Memory）１０１、ＲＡＭ（Random Access Memory）１０２及びＣＰＵ１０３を有しており、ＲＯＭ１０１は、ＭＦＰ１が起動されるときに実行されるプログラムや各種データを格納している。また、ＲＡＭ１０２は、ＲＯＭ１０１やＨＤＤ１４０から読み出された各種プログラムやデータを一時保持する。
【００３３】
操作パネル１１０は、入力装置１１１と表示装置１１２とを有しており、入力装置１１１は、ハードウェアキー等で構成され、ＭＦＰ１に各操作信号を入力するのに用いられる。また、表示装置１１２は、ディスプレイ等で構成され、例えば画像形成動作に関する各種情報を表示する。
【００３４】
記憶メディアＩ／Ｆ１２０は、ドライブ装置１２１を有しており、ドライブ装置１２１に記録媒体１２２がセットされると、記録媒体１２２に記録される各種データがドライブ装置１２１を介してＨＤＤ１４０に格納される。
【００３５】
データ通信Ｉ／Ｆ１３０は、インタフェース装置１３１を有しており、ＭＦＰ１をネットワークＮ１等のデータ伝送路に接続するインタフェースである。
【００３６】
ＨＤＤ１４０は、ＭＦＰ１で取り扱われる受信文書データや読み取り画像データ等の各種データを格納している。また、ＨＤＤ１４０は、これらの各種データを、所定のファイルシステムやＤＢ（Data Base）により管理している。ＨＤＤ１４０に格納される各種データの中には、例えば、スマートフォンやデジタルカメラ等の外部機器によって記録された電子データも含まれる。このような場合には、ＳＤカード等の記録媒体１２２によってＭＦＰ１に提供されたり、データ伝送路であるネットワーク等を通じてアップロードされたりする。
【００３７】
ＵＳＢ  Ｉ／Ｆ１５０は、ＵＳＢ（Universal Serial Bus）ホスト１５１を有しており、ＵＳＢホスト１５１は、ＵＳＢケーブルを介して、各種装置と接続する。ＵＳＢホスト１５１は、各種装置と通信するための物理的・電気的Ｉ／Ｆを制御する機能及びＵＳＢプロトコルを制御する機能を有する。
【００３８】
スキャナ１６０は、画像読取装置１６１を有しており、読み取り面に配置された原稿を光学的に読み取り画像データを生成する。
【００３９】
プロッタ１７０は、印刷装置１７１を有しており、例えば、電子写真プロセス方式によってビットマップイメージを記録紙に印刷する。
【００４０】
このように、本発明の実施形態におけるＭＦＰ１では、上記ハードウエア構成により、コピー、プリンタ、ファクシミリ、スキャナ等の複数の機能、情報検索機能及び通信機能等を実現している。
【００４１】
≪会員情報管理サーバ≫
図３は、本発明の実施形態における会員情報管理サーバ３のハードウエア構成の一例を示す図である。
【００４２】
会員情報管理サーバ３は、会員情報管理サーバ３の全体の動作を制御するＣＰＵ３０１、ＩＰＬ（Initial Program Loader）等のＣＰＵ３０１の駆動に用いられるプログラムを記憶したＲＯＭ３０２、ＣＰＵ３０１のワークエリアとして使用されるＲＡＭ３０３、管理端末用のプログラム等の各種データ等を記憶するＨＤ３０４、ＣＰＵ３０１の制御にしたがってＨＤ３０４に対する各種データの読み出し又は書き込みを制御するＨＤＤ３０５、フラッシュメモリ等の記録メディア３０６に対するデータの読み出し又は書き込み（記憶）を制御するメディアドライブ３０７、カーソル、メニュー、ウィンドウ、文字又は画像等の各種情報を表示するディスプレイ３０８、ネットワークを利用してデータ通信するためのネットワークＩ／Ｆ３０９、文字、数値、各種指示等の入力のための複数のキーを備えたキーボード３１０、各種指示の選択や実行、処理対象の選択、カーソルの移動等を行うマウス３１１、着脱可能な記録媒体の一例としてのＣＤ−ＲＯＭ３１３に対する各種データの読み出し又は書き込みを制御するＣＤ−ＲＯＭドライブ３１２、外部機器を接続するための外部機器Ｉ／Ｆ３１４並びに上記各構成要素を電気的に接続するためのアドレスバスやデータバス等のバスライン３１５を備えている。
【００４３】
このように、本発明の実施形態における会員情報管理サーバ３では、上記ハードウエア構成により、ＭＦＰ１との通信機能及び情報記憶機能等を実現している。
【００４４】
なお、情報処理装置２、ＭＦＰ管理サーバ４、履歴管理サーバ５、事業者情報管理サーバ６、広告管理サーバ７、音楽配信サーバ８、及び事業者管理サーバ９は、会員情報管理サーバ３と同様のハードウエア構成を有していればよい。
【００４５】
＜機能構成＞
図４は、本発明の一実施形態における音声広告システムの機能構成例を示す図である。
【００４６】
≪ＭＦＰ≫
ＭＦＰ１は広告通知手段１１、配信広告受信手段１２、配信広告記憶手段１３、配信音楽記憶手段１４、音声広告出力手段１５、ＭＦＰ操作手段１６、ＭＦＰ機能実行手段１７、ＭＦＰ情報設定手段１８、利用履歴通知手段１９を有する。
【００４７】
広告通知手段１１は情報処理装置２から送信要求を受けた広告のバナー画像を要求元の情報処理装置２へ送信する機能である。
【００４８】
配信広告受信手段１２は広告管理サーバ７から送信される音声広告データ、バナー画像などを含む広告情報の受信を行う。
【００４９】
配信広告記憶手段１３は配信広告受信手段１２によって受信された広告情報を記憶する。
【００５０】
配信音楽記憶手段１４は、音楽配信サーバ８で配信が可能な音楽の音楽ジャンル、音楽名、及び配信可能な音楽のストリーミングデータのＵＲＬ情報などが記憶されている。
【００５１】
音声広告出力手段１５は配信された音楽と音声広告を再生する。音楽の再生は、音声広告出力手段１５が配信音楽記憶手段１４に記憶されているＵＲＬ情報から該当する音楽のストリーミングデータを取得し、再生する。
【００５２】
音声広告出力手段１５にて再生する音楽は配信音楽選択画面にて決定される。図５は、ＭＦＰ表示される配信音楽選択画面例を示す図である。図５に示すように、まず、音楽のジャンルを選択する画面が表示され、ユーザは配信を希望する音楽ジャンルを選択する。音楽ジャンルを選択後、図５に示すように、該当する音楽ジャンルの音楽の一覧が表示される。ユーザはその中から配信を希望する音楽を選択する。
【００５３】
音声広告の再生は、配信広告記憶手段１３から音声広告を取得し、再生する。音声広告の再生は、所定の周期で再生中の音楽を停止させて行われる。また、音声広告出力手段１５は、音声広告の再生前に音声広告が再生可能か否かを広告管理サーバ７へ問い合わせる。なお、音声広告を再生する手順は後述する。
【００５４】
ＭＦＰ操作手段１６は、操作パネル１１０へＭＦＰ１で実行可能な機能の表示及び会員ＩＤ、パスワードの入力画面の表示を行う。ＭＦＰ操作手段１６が表示するＭＦＰ１で実行可能な機能には、コピー、ＦＡＸ、再生する音楽の選択、広告のバナー画像の表示などがある。また、ＭＦＰ操作手段１６は、ユーザにより選択された機能の実行をＭＦＰ機能実行手段１７へ要求する。
【００５５】
ＭＦＰ機能実行手段１７は、ＭＦＰ操作手段１６により要求されたＭＦＰ機能を制御する。また、ＭＦＰ機能実行手段１７はＭＦＰ操作手段１６により受け付けたユーザの会員ＩＤやパスワードの認証を会員情報管理サーバ３へ要求する。
【００５６】
ＭＦＰ情報設定手段１８は、ＭＦＰ１を識別するＭＦＰ識別番号及びＭＦＰ１の設置場所等を示すＭＦＰ情報を設定する。
【００５７】
ＭＦＰ識別番号は、ＭＦＰ１を一意に識別する識別番号であり、一意であれば任意の数字、文字、記号又はこれらの組み合わせにより構成されればよい。
【００５８】
ＭＦＰ１の設置場所を示す情報は、都道府県を示す「県コード」及び市町村を示す「市コード」を含む「地域コード」と、ＭＦＰ１が設置された場所の属性を示す「環境コード」とを有する。「環境コード」には、例えば「テレワークオフィス」や「コンビニエンスストア」等が記載される。
【００５９】
ＭＦＰ情報設定手段１８で設定されるＭＦＰ情報は、例えば図６に示されるように、ＭＦＰ１の操作パネル１１０に表示されるＭＦＰ情報登録画面に基づき入力される。
【００６０】
音声広告配信システムの管理者等は、ＭＦＰ１の操作パネルを操作し、図６に示すＭＦＰ情報登録画面に基づき、ＭＦＰ１の設置場所に関する情報を入力する。なお、ＭＦＰ情報は、ＭＦＰ１の操作パネル１１０を介して入力する場合に限らず、例えば、ＭＦＰ管理サーバ４等から遠隔でＭＦＰ１に対してＭＦＰ情報を登録できるようにしてもよい。
【００６１】
利用履歴通知手段１９は、ユーザによってＭＦＰ機能が実行された場合、ＭＦＰ機能実行手段１７から機能を実行したユーザの会員情報及び実行したＭＦＰ機能の情報を取得し、ＭＦＰ情報設定手段１８に記憶されているＭＦＰ情報と、ユーザ会員情報及び実行したＭＦＰ機能の情報を関連づけて利用履歴を作成する。利用履歴通知手段１９は作成した利用履歴を履歴管理サーバ５へ送信する。
【００６２】
≪情報処理装置≫
情報処理装置２は印刷手段２１と広告表示手段２２とを有する。
【００６３】
印刷手段２１は印刷する画像をＰＤＬ形式（Page Description Language）に変換し、ＰＤＬ形式に変換した画像の印刷要求をＭＦＰ１へ送信する。また、印刷手段２１は印刷要求をＭＦＰ１へ行うと共に、会員ＩＤやパスワードを含む認証情報をＭＦＰ１へ送信する。認証情報は、ＭＦＰ１のプリンタドライバのインストール時に設定される。なお、印刷手段２１はプリンタドライバをインストールすることで実行可能となる。
【００６４】
図７はプリンタドライバのインストール手順及び会員情報の登録画面を示す図である。プリンタドライバのインストールは図７に示すダウンロードボタンを押下することでプリンタドライバのダウンロードがスタートする。ダウンロード完了後、インストールボタンを押下することでインストールが実行される。
【００６５】
インストール完了後、Ｗｅｂ上にある認証情報、ユーザ属性情報を含む会員情報の会員情報登録画面が表示される。ユーザは、会員情報登録画面に基づき、「ユーザ名」、「年齢」、「性別」、「趣味」、「職業」、「興味」などのユーザの属性情報を入力する。ユーザの属性情報の入力が完了後、会員ＩＤが会員情報管理サーバ３から割り当てられる。その後、パスワードを設定することで「会員ＩＤ」と「パスワード」が紐づけられ、認証情報として保存される。会員情報管理サーバ３はユーザ属性情報と認証情報を関連づけて会員情報として登録する。
【００６６】
なお、会員情報の入力はドライバインストール後に限らず、Ｗｅｂブラウザを介して会員情報登録画面のＵＲＬへアクセスすることでも行うことができる。
【００６７】
会員登録完了後、プリンタドライバのインストーラは、プリンタドライバの起動時に参照されるドライバ初期情報として「会員ＩＤ」及び「パスワード」を印刷手段２１に記憶する。
【００６８】
なお、プリンタドライバのインストーラは、例えば会員情報管理サーバ３やＭＦＰ１の製造元のＷｅｂサイトからダウンロードすればよい。
【００６９】
広告表示手段２２は、ＭＦＰ１の配信広告記憶手段１３に記憶されている広告のバナー画像をＭＦＰ１から取得し、取得した広告のバナー画像を一覧表示する。また、広告表示手段２２は広告のバナー画像にリンクされているＵＲＬへアクセスすると、ＵＲＬが示す広告のＷｅｂページの広告画像を表示する。図８は広告表示手段２２が表示するバナー画像の一覧表示及び広告画像の例を示す図である。なお、広告表示手段２２は、例えば、情報処理装置２が備えるＷｅｂブラウザやプリンタドライバと同時に提供される広告表示ツールである。
【００７０】
≪会員情報管理サーバ≫
会員情報管理サーバ３は、会員情報管理手段３１及び会員情報記憶手段３２等を有する。
【００７１】
会員情報管理手段３１は、ユーザより登録された会員情報の登録、更新、削除など会員情報の管理を行う。また、会員情報管理手段３１はＭＦＰ１から会員情報の認証要求を受信した場合、会員情報記憶手段３２に記憶されている該当する会員情報を参照し、要求を受けた会員情報の認証を行う。
【００７２】
会員情報記憶手段３２は、ユーザ（会員）の会員情報を記憶する。図９は、本発明の実施形態における会員情報記憶手段３２に記憶される会員情報の一例を示す図である。
【００７３】
図９に示されるように、会員情報記憶手段３２は、「会員ＩＤ」、「パスワード」、及び「ユーザ属性情報」等の図７に示す会員情報登録画面にて入力された値を記憶している。
【００７４】
「会員ＩＤ」は、ユーザ（会員）を一意に識別するユーザ識別情報である。「パスワード」は、「会員ＩＤ」に対応し、会員情報の認証に用いる情報である。「ユーザ属性情報」は、「ユーザ名」、「年齢」、「性別」、「趣味」、「職業」、「興味」等であり、それぞれユーザの属性を示す情報である。
【００７５】
≪ＭＦＰ管理サーバ≫
ＭＦＰ管理サーバ４は、ＭＦＰ情報管理手段４１とＭＦＰ情報記憶手段４２などを有する。
【００７６】
ＭＦＰ情報管理手段４１は、ＭＦＰ１からＭＦＰ情報を受信すると共に、受信したＭＦＰ情報の登録、更新、削除などＭＦＰ情報の管理を行う。また、ＭＦＰ情報管理手段４１は、広告管理サーバ７からのＭＦＰ情報の送信要求にしたがい、広告管理サーバ７へＭＦＰ情報を送信する。
【００７７】
ＭＦＰ情報記憶手段４２は、ＭＦＰ１の設置場所などに関する情報を記憶する。図１０は、ＭＦＰ情報記憶手段４２に記憶されるＭＦＰ情報の一例を示す図である。ＭＦＰ情報は、「ＭＦＰ識別番号」、「環境コード」、「地域コード」を有し、図６に示すＭＦＰ登録画面にて入力された値を記憶している。
【００７８】
「ＭＦＰ識別番号」は、ＭＦＰの識別情報である。「環境コード」は、ＭＦＰ１が設置されている環境を示す情報である。「環境コード」は、ＭＦＰ登録画面で入力された「環境」に対応するコードが記載される。ＭＦＰ登録画面で入力された「環境」に対応するコードは、例えば「環境コード１：コンビニエンスストア」、「環境コード２：マンション」、「環境コード３：テレワークオフィス」・・・のように設定される。
【００７９】
「地域コード」は、ＭＦＰ１が設置されている地域を示す情報である。「地域コード」には、ＭＦＰ登録画面で入力された「地域」に対応するコードが記載される。ＭＦＰ登録画面で入力された「地域」に対応するコードは、例えば、「地域コード１００１：横浜」、「地域コード１００２：海老名」、「地域コード１００３：座間」・・・のように設定される。
【００８０】
≪履歴管理サーバ≫
履歴管理サーバ５は、履歴情報管理手段５１、履歴情報記憶手段５２、及び配信先検索手段５３を有する。
【００８１】
履歴情報管理手段５１はＭＦＰ１から利用履歴の受信を行うと共に、受信した利用履歴の登録、更新、削除など利用履歴の管理を行う。
【００８２】
履歴情報記憶手段５２は、ＭＦＰ１の利用履歴を記憶する。図１１は履歴情報記憶手段５２が記憶するユーザの利用履歴の一例を示す図である。ＭＦＰ１の利用履歴は、「履歴ＩＤ」、「会員ＩＤ」、「利用時刻」、「利用コード」、「ＭＦＰ情報」、「ユーザ属性情報」のデータ項目を有する。「履歴ＩＤ」は利用履歴の識別番号である。「会員ＩＤ」は、ＭＦＰ１を利用したユーザの会員ＩＤである。
【００８３】
「利用コード」は、ユーザの利用形態を示す情報である。利用コードは、ユーザの利用形態に応じて、例えば「利用コード１：コピー」、「利用コード２：印刷」、「利用コード３：ＦＡＸ」のように設定される。
【００８４】
「ＭＦＰ情報」は、使用されたＭＦＰ１の設置場所に関する情報であり、ＭＦＰ管理サーバ４に記憶されている情報と同一である。
【００８５】
「ユーザ属性情報」は、ユーザ（会員）の属性を示す情報であり、会員情報管理サーバ３に記憶されている情報と同一である。
【００８６】
配信先検索手段５３は、広告管理サーバ７からの顧客情報と合致するユーザの検索要求にしたがい、広告の顧客情報に合致するユーザを履歴情報記憶手段５２から検索する。また、配信先検索手段５３は、検索結果に基づいて顧客情報に合致するユーザの数をＭＦＰ１ごとに算出し、広告管理サーバ７へ通知する。なお、広告の顧客情報に合致するユーザの検索の詳細は後述する。
【００８７】
≪事業者情報管理サーバ≫
事業者情報管理サーバ６は事業者情報管理手段６１及び事業者情報記憶手段６２を有する。
【００８８】
事業者情報管理手段６１は、事業者より登録された事業者情報の登録、更新、削除など事業者情報の管理を行う。また、事業者情報管理手段６１は広告管理サーバ７から事業者情報の認証要求を受信した場合、事業者情報記憶手段６２に記憶されている該当する事業者情報を参照し、要求を受けた事業者情報の認証を行う。
【００８９】
事業者情報記憶手段６２は、事業者情報を記憶する。記憶する事業者情報は、「事業者名」、「クレジットカード番号」、「事業者ＩＤ」、及び「パスワード」などである。
【００９０】
事業者は、事業者が所有するＰＣのＷｅｂブラウザから事業者登録画面ＵＲＬにアクセスし、図１２に示される事業者登録画面にて「事業者名」などの事業者情報を入力する。
【００９１】
≪広告管理サーバ≫
広告管理サーバ７は、広告投稿受付手段７１、広告管理手段７２、広告記憶手段７３、及び広告配信手段７４を有する。
【００９２】
広告投稿受付手段７１は、事業者から配信広告情報及び顧客情報を含む広告情報の投稿を受け付ける。図１３は、事業者から広告情報の受け付けを行う画面構成例である。事業者は、事業者の情報処理装置２のＷｅｂブラウザから広告投稿画面のＵＲＬへアクセスし、図１３に示す広告投稿画面を表示させる。
【００９３】
事業者は、広告投稿画面にて広告情報を設定する。広告投稿画面では、「事業者ＩＤ」、「広告期間」、「聴衆数」、「ＵＲＬ」、「バナー画像」、「音声広告」等の配信広告情報を設定する。
【００９４】
「事業者ＩＤ」、「パスワード」は事業者情報登録時に設定した情報である。「事業者ＩＤ」、「パスワード」の入力後、入力した値に基づき、事業者情報管理サーバ６での認証が行われる。
【００９５】
「広告期間」は、投稿する広告の配信期間を示す情報である。「聴衆数」は、音声広告を聴取させるユーザの数を示す情報である。
【００９６】
「ＵＲＬ」は、配信する広告のＷｅｂページを示すＵＲＬ情報である。ここで記載されるＵＲＬは、「バナー画像」とリンクされる。「バナー画像」は、広告の表示画面に表示させるバナーの画像データである。バナー画像は、「ＵＲＬ」とリンクされ、広告表示画面に表示する。バナー画像は、例えばＪＰＥＧ（Joint Photographic Experts Group）形式である。音声広告は、音声広告の音声データである。音声データは、例えばＷＡＶ（Wave）形式である。
【００９７】
各項目設定後、「次へ」の押下により、投稿した広告の配信対象となる顧客情報の登録画面に遷移する。
【００９８】
事業者は、顧客情報登録画面にて、「顧客性別」、「顧客年代」、「送付環境」、「送付地域」、「顧客趣味」、「顧客職業」、「顧客興味」といった顧客情報を入力する。
【００９９】
広告管理手段７２は事業者より投稿を受けた広告情報の登録、更新、削除など広告情報の管理を行う。また、広告管理手段７２は、ＭＦＰ１から音声広告が再生可能か否かの問い合わせにしたがって、再生可能か否かの判断を行い、ＭＦＰ１へ通知する。再生可能か否かの判断は、音声広告を聴取したユーザ数が事業者の設定した聴衆数を上回っているか否かを確認することによって行われる。これにより、広告が事業者の設定した聴衆数を超えないように管理することができる。
【０１００】
広告記憶手段７３は、広告投稿受付手段７１にて受け付けた広告情報を記憶する。
【０１０１】
図１４は、広告記憶手段７３に記憶される広告情報の一例を示す図である。
【０１０２】
図１４に示すように、広告記憶手段７３は、「広告ＩＤ」、「事業者ＩＤ」、「広告期間」、「聴衆数」、「ＵＲＬ」、「バナー画像」、「音声広告」、「顧客情報」、「広告時間」、「広告回数」、「残聴衆数」、などの項目を記憶している。
【０１０３】
「広告ＩＤ」は、広告投稿受付手段７１にて広告情報が登録された際に割り当てられる広告の識別情報である。「事業者ＩＤ」、「広告期間」、「聴衆数」、「ＵＲＬ」、「バナー画像」、「音声広告」、「顧客情報」は、広告投稿受付手段７１によって受け付けられた情報を記憶する。「広告回数」はＭＦＰ１にて音声広告が再生された回数を示す。「広告時間」は広告投稿画面にて事業者によって登録された音声広告の再生時間である。「残聴衆数」は音声広告を聴取させることのできる残りの聴衆数である。
【０１０４】
広告配信手段７４は、広告情報の配信を行う。広告配信手段７４はＭＦＰ管理サーバ４からＭＦＰ情報の取得を行い「送付環境」、「送付地域」に基づいて広告情報を配信するＭＦＰ１の候補を選定する。広告配信手段７４は、広告情報を配信するＭＦＰ１の候補に顧客情報が合致するユーザが存在するか否かの確認を履歴管理サーバ５へ問い合わせる。広告配信手段７４は、顧客情報に合致するユーザが存在するＭＦＰ１へ広告情報を配信する。
【０１０５】
≪音楽配信サーバ≫
音楽配信サーバ８は、音楽配信管理手段８１及び音楽データ記憶手段８２を有する。
【０１０６】
音楽配信管理手段８１はＭＦＰ１から要求された音楽のストリーミングデータを音楽データ記憶手段８２から取得し、ＭＦＰ１へ配信する。
【０１０７】
音楽データ記憶手段８２は、ＭＦＰ１へ配信する音楽のストリーミングデータを記憶している。
【０１０８】
≪事業者管理サーバ≫
事業者管理サーバ９は広告画像送信手段９１及び広告データ記憶手段９２を有する。
【０１０９】
広告画像送信手段９１はバナー画像にリンクされたＵＲＬへアクセスするＭＦＰ１もしくは情報処理装置２へ、広告データ記憶手段９２に記憶された該当する広告画像を送信する。
【０１１０】
広告データ記憶手段９２は広告のＵＲＬとリンクした広告画像を記憶する。広告画像はＨＴＭＬ（HyperText Markup Language）形式の画面データである。
【０１１１】
＜動作手順＞
≪利用履歴作成手順≫
図１５は、ユーザによるＭＦＰ利用から履歴管理サーバ５にてＭＦＰ１の利用履歴を保存するまでの流れを示すシーケンス図である。
【０１１２】
ユーザ（会員）は会員ＩＤとパスワードなどの会員情報をＭＦＰ１へ入力し、コピーやＦＡＸなどのＭＦＰ機能を利用する（ステップＳ１）。なお、ＩＣカードをかざすことにより会員ＩＤ、パスワードを入力してもよい。情報処理装置２から画像データの印刷を行う場合、会員情報及びパスワードはプリンタドライバにてＭＦＰ１へ送付される（ステップＳ２）。
【０１１３】
ＭＦＰ１はユーザから受け付けた会員情報の認証を会員情報管理サーバ３へ要求する（ステップＳ３）。
【０１１４】
会員情報管理サーバ３により会員情報が認証された場合（ステップＳ４）、ＭＦＰ１はユーザから要求されたＭＦＰ１の機能を実行し、利用したユーザの属性情報、ＭＦＰ機能の利用コード、及びＭＦＰ情報を関連付けて利用履歴を作成する（ステップＳ５）。利用履歴作成後、履歴管理サーバ５へ作成した利用履歴を送付する（ステップＳ６）。
【０１１５】
履歴管理サーバ５は、ＭＦＰ１から受信した利用履歴を履歴情報記憶手段５２に保存する（ステップＳ７）。
【０１１６】
≪広告情報配信手順≫
図１６は、広告情報をＭＦＰ１へ配信するまでの流れを示すシーケンスである。なお、会員登録、事業者登録、及び利用履歴の生成が完了した状態で、図１６で示す処理が開始される。
【０１１７】
事業者は、事業者の所有するＰＣなどのＷｅｂブラウザにて広告投稿画面（図１３参照）にアクセスし、事業者ＩＤとパスワードを入力するとともに、バナー画像、音声広告のデータ登録、及び顧客情報を入力する（ステップＳ１１）。
【０１１８】
事業者情報管理サーバ６は、事業者情報管理手段６１にて事業者より入力された事業者ＩＤとパスワードにしたがって、事業者情報の認証を行う（ステップＳ１２）。認証完了後、広告管理サーバ７は、広告記憶手段７３にて事業者から投稿された広告情報を保存する（ステップＳ１３）。
【０１１９】
広告管理サーバ７は、広告配信手段７４にてＭＦＰ１からＭＦＰ情報を取得する（ステップＳ１４、Ｓ１５）。広告管理サーバ７は、広告配信手段７４にて広告情報にしたがい広告情報の配信先となるＭＦＰ１の候補を選定する（ステップＳ１６）。広告情報の配信先の候補となるＭＦＰ１の選定は、広告情報に含まれる「送付環境」及び「送付地域」と、ＭＦＰ情報に含まれる「環境コード」に対応する環境及び「地域コード」に対応する地域が合致するか否かで行う。
【０１２０】
広告管理サーバ７は、広告配信手段７４にて選定したＭＦＰ１に顧客情報に合致するユーザ数を履歴管理サーバ５の配信先検索手段５３へ問い合わせる（ステップＳ１７）。
【０１２１】
履歴管理サーバ５は、配信先検索手段５３にて選定されたＭＦＰ１ごとに、広告の顧客情報に合致するユーザ数（以降、ターゲットユーザ数と呼ぶ）を算出する（ステップＳ１８）。ターゲットユーザ数の算出は、所定の期間において、広告情報に含まれる顧客情報と、会員情報に含まれるユーザの属性情報を比較し、所定数以上の項目が合致するユーザ数を算出する。その後、所定の期間における所定数以上の項目が合致するユーザ数を検索対象とした期間で割った値をターゲットユーザ数とする。
【０１２２】
履歴管理サーバ５は、配信先検索手段５３にて広告管理サーバ７の広告配信手段７４へ算出した顧客情報に合致するユーザ数を送信する（ステップＳ１９）。
【０１２３】
広告管理サーバ７は、広告配信手段７４にて顧客情報と合致するユーザが存在するＭＦＰ１へ広告情報を配信する（ステップＳ２０）。
【０１２４】
ＭＦＰ１は、配信広告受信手段１２にて広告管理サーバ７より配信された広告情報を受信し、配信広告記憶手段１３にて受信した広告情報を記憶し、ＭＦＰ１は、音声広告出力手段１５にて配信された広告を再生する（ステップＳ２１）。
【０１２５】
上述した動作手順に基づき、音声広告配信システムは、事業者から投稿された広告情報を広告の対象となるＭＦＰ１へ配信する。これにより、対象となるユーザが近くに存在するＭＦＰ１へ音声広告を提供することができる。
【０１２６】
≪音楽及び音声広告再生手順≫
図１７は、ＭＦＰ１が音声広告及び音楽の再生手順を示すフローチャート図である。
【０１２７】
ＭＦＰ１へ広告情報が記憶されている状態で図１７で示す処理を開始する（ステップＳ１００）。
【０１２８】
ＭＦＰ１は、広告管理サーバ７より受信した広告情報に基づき、音声広告と音楽の再生周期を設定する（ステップＳ１０１）。音声広告の再生周期と音楽の再生周期の算出方法は、例えば次の通りである。まず、配信広告記憶手段１３に記憶されている音声広告の広告時間の累計と、１日あたりの音声広告の再生回数をかけあわせ総広告時間（音声広告の再生時間の累計×１日あたりの音声広告の再生回数）を算出する。その後、総広告時間を１日あたりのＭＦＰ１の稼働時間で割ることで１日当たりのＭＦＰ１の稼働時間に占める音声広告の再生時間の割合（総広告時間÷１日あたりのＭＦＰ１の稼働時間）を算出する。その後、音声広告と音楽を再生する時間の単位（例えば１５分）に１日あたりのＭＦＰ１の稼働時間に占める音声広告の再生時間の割合を掛けることで音声広告再生周期（音声広告と音楽を再生する時間の単位×１日当たりのＭＦＰ１の稼働時間に占める広告の再生時間の割合）を算出する。音楽再生周期は、音声広告と音楽を再生する時間の単位から音声広告再生周期を減算することで算出される。
【０１２９】
音声広告出力手段１５は音楽のストリーミングデータを音楽配信サーバ８から取得した音楽を再生する（ステップＳ１０２）。音声広告出力手段１５は音楽の再生と同時に音楽の再生時間を記録する（ステップＳ１０３）。そして、音声広告出力手段１５は、音楽を再生しながら、音楽の再生時間が音楽再生周期に達しているか否かを判定する（ステップＳ１０４）。
【０１３０】
音楽の再生時間が音楽再生周期に達していない場合（ステップＳ１０４：ＮＯ）、引き続き、音声広告出力手段１５は音楽配信サーバ８より音楽のストリーミングデータを取得し、音楽を再生する。
【０１３１】
音楽の再生時間が音楽再生周期に達した場合（ステップＳ１０４：ＹＥＳ）、所定の期間、無音とする（ステップＳ１０５）。
【０１３２】
所定の期間を経過後、音声広告出力手段１５は再生する音声広告を配信広告記憶手段１３から取得する（ステップＳ１０６）。
【０１３３】
音声広告を取得後、音声広告出力手段１５は取得した音声広告の広告時間と音声広告の総再生時間を合算した時間が広告再生周期に達しているか否かを判定する（ステップＳ１０７）。
【０１３４】
広告再生周期に達していない場合（ステップＳ１０７：ＮＯ）、音声広告出力手段１５は取得した音声広告の聴衆が残存するか否かを広告管理サーバ７へ問い合わせる（ステップＳ１０８、Ｓ１０９）。音声広告の聴衆が残っているか否かの判定手順は後述する。
【０１３５】
取得した音声広告の聴衆が残存する場合（ステップＳ１０９：ＹＥＳ）、ＭＦＰ１は配信広告記憶手段１３に記憶された音声広告を再生する（ステップＳ１１０）。音声広告の再生とあわせて、音声広告出力手段１５は、音声広告の総再生時間を記録する（ステップＳ１１１）。
【０１３６】
その後、Ｓ１０６に戻り、他の音声広告を配信広告記憶手段１３から取得する。
【０１３７】
取得した音声広告の聴衆が残存しない場合（ステップＳ１０９：ＮＯ）、ＭＦＰ１は配信広告記憶手段１３に記憶されている当該音声広告を削除する（ステップＳ１１２）。その後、削除した音声広告の広告時間に基づき、音声広告及び音楽の再生周期を補正する（ステップＳ１１３）。そして、Ｓ１０６に戻り、配信広告記憶手段１３から他の音声広告を取得する。
【０１３８】
広告再生周期に達した場合（ステップＳ１０７：ＹＥＳ）、音声広告出力手段１５は音声広告総再生時間の値をクリアし、Ｓ１０２に戻り、音楽を再生する。
【０１３９】
上述した手順にしたがい、音声広告配信システムは音声広告の対象となるユーザへ音楽と音声広告を提供することができる。
【０１４０】
≪音声広告再生可否の判断手順≫
図１８は音声広告をＭＦＰ１で再生させるか否かを判断する処理手順を示すフローチャートである。
【０１４１】
広告管理サーバ７の広告管理手段７２は、該当する音声広告が再生できるか否かの問い合わせをＭＦＰ１の音声広告出力手段１５から受信したタイミングで図１８に示すフローチャートを開始する（ステップＳ１２０）。
【０１４２】
該当する広告の残聴衆数を広告記憶手段７３に記憶されている広告情報から取得する（ステップＳ１２１）。広告情報に含まれる残聴衆数が残っている（残聴衆数の値が１以上）か否かを判断する（ステップＳ１２２）。
【０１４３】
広告情報に含まれる残聴衆数が残っていない（残聴衆数の値が０）場合（ステップＳ１２２：ＮＯ）、広告管理手段７２はＭＦＰ１の音声広告出力手段１５に対して問い合わせを受けた音声広告が再生できないことを通知する（ステップＳ１２３）。その後、当該処理を終了する（ステップＳ１２８）。
【０１４４】
広告情報に含まれる残聴衆数が残っている（残聴衆数の値が１以上）場合（ステップＳ１２２：ＹＥＳ）、広告管理手段７２は広告情報に含まれる残聴衆数が、音声広告の再生可否を問い合わせたＭＦＰ１のターゲットユーザ数を上回っているか否かを判断する（ステップＳ１２４）。
【０１４５】
広告情報に含まれる残聴衆数がＭＦＰ１のターゲットユーザ数を上回っていない場合（ステップＳ１２４：ＮＯ）、広告管理手段７２は広告管理サーバ７の広告管理手段７２は、残聴衆数に０を設定する（ステップＳ１２６）。そして、広告管理手段７２はＭＦＰ１の音声広告出力手段１５に対して問い合わせを受けた音声広告が再生可能なことを通知する（ステップＳ１２７）。その後、当該処理を終了する（ステップＳ１２８）。
【０１４６】
広告情報に含まれる残聴衆数がＭＦＰ１のターゲットユーザ数を上回っている場合（ステップＳ１２４：ＹＥＳ）、広告管理手段７２は残聴衆数からＭＦＰ１のターゲットユーザ数を減算する（ステップＳ１２５）。そして、広告管理手段７２はＭＦＰ１の音声広告出力手段１５に対して問い合わせを受けた音声広告が再生可能なことを通知する（ステップＳ１２７）。その後、当該処理を終了する（ステップＳ１２８）。
【０１４７】
≪表示広告の表示手順≫
図１９は表示広告を情報処理装置２上で表示させるまでの流れを示すシーケンス図である。
【０１４８】
ユーザは、ＰＣなどのキーボードやマウスなどを操作し、広告表示手段２２を有する広告表示ツールを起動する（ステップＳ３１）。情報処理装置２はユーザからの起動要求を受け、広告表示ツールを起動する（ステップＳ３２）。情報処理装置２は、広告表示手段２２によってＭＦＰ１の配信広告記憶手段１３に記憶されているバナー画像を取得する（ステップＳ３３、Ｓ３４）。
【０１４９】
その後、情報処理装置２は、広告表示手段２２にて取得したバナー画像を一覧表示する（ステップＳ３５）。
【０１５０】
ユーザがバナー画像をクリックすると（ステップＳ３６）、情報処理装置２は、広告表示手段２２にてバナー画像にリンクされている事業者管理サーバ９のＵＲＬへアクセスし、広告画像を取得する（ステップＳ３７、３８）。情報処理装置２は、広告表示手段２２にて取得した広告画像を表示される（ステップＳ３９）。
【０１５１】
情報処理装置２が、広告表示手段２２にて表示された広告画像の印刷を実行した場合（ステップＳ４０）、ＭＦＰ１は、ＭＦＰ機能実行手段１７によって印刷を行う（ステップＳ４１）。その後、広告画像の印刷要求を行ったユーザの会員情報を会員情報管理サーバ３へ送信し、該当するユーザの会員情報を更新する（ステップＳ４２、Ｓ４３）。
【０１５２】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０１５３】
以上、ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１５４】
１      ＭＦＰ
２      情報処理装置
３      会員情報管理サーバ
４      ＭＦＰ管理サーバ
５      履歴管理サーバ
６      事業者情報管理サーバ
７      広告管理サーバ
８      音楽配信サーバ
９      事業者管理サーバ
１１    広告通知手段
１２    配信広告受信手段
１３    配信広告記憶手段
１４    音声広告出力手段
１５    配信音楽記憶手段
１６    ＭＦＰ操作手段
１７    ＭＦＰ機能実行手段
１８    ＭＦＰ情報設定手段
１９    利用履歴通知手段
２１    印刷手段
２２    広告表示手段
３１    会員情報管理手段
３２    会員情報記憶手段
４１    ＭＦＰ情報管理手段
４２    ＭＦＰ情報記憶手段
５１    履歴情報管理手段
５２    履歴情報記憶手段
５３    配信先検索手段
６１    事業者情報管理手段
６２    事業者情報記憶手段
７１    広告投稿受付手段
７２    広告管理手段
７３    広告記憶手段
７４    広告配信手段
８１    音楽配信管理手段
８２    音楽データ記憶手段
【先行技術文献】
【特許文献】
【０１５５】
【特許文献１】特開２０１０−１４６１８８号公報
【特許文献２】特開２００２−００６８６３号公報
【特許文献３】特開２００５−０８５０４４号公報
【特許文献４】特開２０１０−１３４６２０号公報
【特許文献５】特開２００８−０９４０４５号公報
【図１】
2015153233.tif 000003
【図２】
2015153233.tif 000004
【図３】
2015153233.tif 000005
【図４】
2015153233.tif 000006
【図５】
2015153233.tif 000007
【図６】
2015153233.tif 000008
【図７】
2015153233.tif 000009
【図８】
2015153233.tif 000010
【図９】
2015153233.tif 000011
【図１０】
2015153233.tif 000012
【図１１】
2015153233.tif 000013
【図１２】
2015153233.tif 000014
【図１３】
2015153233.tif 000015
【図１４】
2015153233.tif 000016
【図１５】
2015153233.tif 000017
【図１６】
2015153233.tif 000018
【図１７】
2015153233.tif 000019
【図１８】
2015153233.tif 000020
【図１９】
2015153233.tif 000021